(57)【要約】【課題】低温から高温にわたる広範囲の温度領域において、良好な泡立ち抑制効果を奏する潤滑油組成物を提供する。【解決手段】潤滑油基油と、該基油に含有された添加剤とからなる潤滑油組成物であって、該添加剤が、２５℃における動粘度が２０ｍｍ２／ｓ以上の粘度を有する少なくとも一種のパーフルオロポリエーテルの骨格構造を有する化合物を泡立ち抑制量、特に潤滑油組成物全重量基準で１０ｐｐｍ以上含有してなることを特徴とする潤滑油組成物。【選択図】      なし【特許請求の範囲】
【請求項１】
基油と該基油に含有された添加剤とからなる潤滑油組成物であって、該添加剤が、２５℃における動粘度２０ｍｍ２／ｓ以上の少なくとも一種のパーフルオロポリエーテルの骨格構造を有する化合物を泡立ち抑制量含有してなることを特徴とする潤滑油組成物。
【請求項２】
前記パーフルオロポリエーテルの骨格構造を有する化合物の泡立ち抑制量が、潤滑油組成物全重量基準で１０ｐｐｍ以上である請求項１に記載の潤滑油組成物。
【発明の詳細な説明】
【０００１】
【発明の属する技術分野】
本発明は、潤滑油組成物に関するものであり、さらに詳しくは、低温から高温にわたる広範囲の温度領域において優れた泡立ち抑制効果を得ることが可能な潤滑油組成物に関するものである。
【０００２】
また、本発明は、自動変速機油、無段変速機油、油圧油、ギヤ油、コンプレッサー油、タービン油、エンジン油、特に動力伝達油等として好適な潤滑油組成物を提供するものである。
【０００３】
【従来の技術】
近年、環境保全対策の観点から環境対応型潤滑油への要望が高まる一方にあり、省燃費性を向上させるため、潤滑油は低粘度化されると共に品質改善のための各種添加剤が多種使用される状況となっている。一方、自動変速機および油圧装置は、高性能化・小型化の傾向にあり、さらにこれに加えて内燃機関の高出力化が自動変速機内の油温を上昇させる傾向にある。かかる傾向は、自動変速機油にとっては空気の存在下において高温下、高速回転による撹拌、高速飛散等により油中に空気を取り込み、低粘度化と相挨って、発泡の原因となっている。また、高速回転による発泡現象は、高速のディーゼルエンジン油、極圧剤を含有するタービン油、トルクコンバータ油、無灰分散剤を含有するエンジン油、油圧作動油等においても発生する状況にある。
【０００４】
このようにして発生した泡が油中に安定して存在するときは、例えば、自動変速機ではブリーザからの油漏れを起こしやすくするという問題を生じさせ、また、油膜破断による摩耗、焼付きを発生させやすくするという懸念もある。さらに、油圧系では泡が発生すると圧縮性に異常が生じ誤操作を導くことになり、高速ギヤボックスではギヤの歯面損傷を起こす等の難点を包蔵している。
【０００５】
かかる状況下において、従来から泡消し剤として、ジメチルポリシロキサン（シリコーン）系化合物および変性シリコーン等が提案されてきている。例えば、摩擦調整剤により生ずる消泡性の悪化を解消するために比較的高粘度のジメチルポリシロキサンを摩擦調整剤（リン酸エステル、カルボン酸、カルボン酸エステル、硫黄化合物等）と共に配合してなる自動変速機油組成物（特許文献１（特開平４−２０９６９７号公報）参照。）が提案され、また、溶解性の高い炭化水素系合成油基油に対しては、密度１．１５ｇ／ｃｍ３（１５℃）以上のポリフルオロアルキルシロキサンを配合してなる自動変速機油（特許文献２（特開２０００−８７０６９号公報）参照。）も提案されている。さらには、ポリアクリレート系泡消し剤として重合フッ素化アクリレートモノマーを含有するアクリレートコポリマーを炭化水素油に配合した耐発泡性炭化水素油組成物（特許文献３（特開２００１−５２０３０２号公報）参照。）等も挙げることができる。
【０００６】
しかしながら、前記の如き先行技術は、いずれも先に述べたような小型化・高性能化した装置または高速条件下の装置に対して泡立ち抑制作用は未だ十分でなく、しかも泡立ち抑制効果を奏する温度範囲が狭く、特に自動車用変速機等における如き潤滑条件の変動に対して対応が困難であるという問題があった。
【０００７】
かかる状況において、前記の如き難点を解消した泡立ち抑制効果の大きい潤滑油組成物の開発が切望されてきた。
【０００８】
【特許文献１】特開平４−２０９６９７号公報
【特許文献２】特開２０００−８７０６９号公報
【特許文献３】特開２００１−５２０３０２号公報
【０００９】
【発明が解決しようとする課題】
従って、本発明の課題は、前記の如き技術開発状況に鑑み、低温から高温までの広範囲の温度領域において、良好な泡立ち抑制効果を奏する潤滑油組成物を提供することにある。
【００１０】
【課題を解決するための手段】
そこで、本発明者は、前記課題を解決するため、鋭意検討を重ねたところ、特定の粘度のフッ素系ポリエーテル化合物、特にパーフルオロポリエーテルの骨格構造を有する化合物が各種基油に対し不溶または難溶であり、表面張力が低いこと等から泡消し剤の資質を有することに着目し、これを潤滑油に配合することにより、基油の種類に拘らず広範囲の温度範囲において高度の泡立ち抑制効果を奏する潤滑油組成物が得られることを見出し、これらの知見に基づいて、本発明の完成に到達した。
【００１１】
かくして、本発明によれば、
基油と該基油に含有された添加剤とからなる潤滑油組成物であって、該添加剤が、２５℃における動粘度が２０ｍｍ２／ｓ以上の少なくとも一種のパーフルオロポリエーテルの骨格構造を有する化合物（以下、本明細書において「パーフルオロポリエーテル化合物」という。）を泡立ち抑制量含有してなることを特徴とする潤滑油組成物
が提供される。
【００１２】
本発明は、前記の如く、パーフルオロポリエーテル化合物を泡立ち抑制有効量含有する潤滑油組成物を提供するものであるが、さらに、次の１）〜８）に掲げる好ましい実施の態様を包含する。
【００１３】
１）前記基油が、フェノール、フルフラール等の芳香族抽出溶剤を用いることにより得られる抽出残油からなる溶剤精製鉱油および／または水素化分解、水素化精製等の処理で得られる水素化処理油である前記潤滑油組成物。
２）前記パーフルオロポリエーテル化合物が、炭素数１〜３のパーフルオロアルキレン基を有し、ポリエーテル構造を主鎖とする骨格構造を含有する化
合物である前記潤滑油組成物。
３）前記パーフルオロポリエーテル化合物が、次の式（１）〜（４）で表される化合物からなる群より選択される少なくとも一種の化合物である前記潤
滑油組成物。
【００１４】
【化１】
2004331933.tif 000002
【００１５】
【化２】
2004331933.tif 000003
【００１６】
【化３】
2004331933.tif 000004
【００１７】
【化４】
2004331933.tif 000005
【００１８】
前記式（１）〜（４）の各式において、
ＸおよびＸ１は、それぞれ
（ｉ）フッ素原子
または
（ｉｉ）次の（ａ）〜（ｇ）からなる群より選択されるいずれかの置換基Ｙ
（ａ）−ＣＨ２ＯＨ
（ｂ）−ＣＨ２（ＯＣ２Ｈ４）ｔＯＨ
【００１９】
（ｃ）
【化５】
2004331933.tif 000006
【００２０】
（ｄ）
【化６】
2004331933.tif 000007
【００２１】
（ｅ）−ＣＨ２ＣＯＯＨ
（ｆ）−ＣＦ２ＣＯＯＨ
（ｇ）−ＣＦ２ＣＯＯＮＨ３−（ＣＨ２）５−ＣＨ３などが挙げられる。
【００２２】
４）前記ＸおよびＸ１が、いずれもフッ素原子である潤滑油組成物。
５）前記パーフルオロポリエーテル化合物の２５℃における動粘度が、２０〜１，２００ｍｍ２／ｓである前記潤滑油組成物。
６）前記パーフルオロポリエーテル化合物の泡立ち抑制量が、潤滑油組成物全重量基準で２０ｐｐｍ以上である前記潤滑油組成物。
７）前記基油に対し、潤滑油組成物全量基準で、パーフルオロポリエーテル化合物を１０ｐｐｍ以上配合し、さらに、粘度指数向上剤、無灰分散剤、酸化防止剤、摩耗防止剤、摩擦調整剤、有機酸金属塩、金属不活性化剤および流動点降下剤からなる群より選択される少なくとも一種の添加剤を配合してなる前記潤滑油組成物。
８）前記基油に対し、潤滑油組成物全量基準で、パーフルオロポリエーテル化合物を１０ｐｐｍ以上配合し、０．０１重量％〜３０重量％の粘度指数向上剤、０．０５重量％〜８重量％の無灰分散剤、０．０５重量％〜５重量％の金属系清浄剤、０．０５重量％〜５重量％の摩擦調整剤、０．０１重量％〜５重量％の摩耗防止剤、０．０５重量％〜５重量％の酸化防止剤、０．０１重量％〜３重量％の金属不活性化剤および０．０１重量％〜５重量％の流動点降下剤からなる群より選択される少なくとも一種の添加剤を配合してなる前記潤滑油組成物。
【００２３】
【発明の実施の形態】
以下、本発明についてさらに詳細に説明する。
本発明に係る潤滑油組成物は、基油と、該基油に含有されたパーフルオロポリエーテル化合物を構成成分として含有するものであり、潤滑油の用途に応じて他の添加剤がさらに配合されたものである。
【００２４】
潤滑油組成物の構成成分の基油は、通常の潤滑油基油として用いられ、また使用が可能なものであれば、特に限定されるものではないが、本発明に係る潤滑油組成物において用いられるパーフルオロポリエーテル化合物を完全に溶解せず分散させるものが好適である。具体的には、鉱油系基油、ＧＴＬ（Ｇａｓ  ｔｏ  ｌｉｑｕｉｄ）系基油、合成油系基油またはこれらの混合油系基油等が用いられる。
【００２５】
鉱油系基油としては、パラフィン系、中間基系またはナフテン系原油の常圧蒸留装置の残渣油の減圧蒸留による留出油として得られる潤滑油留分を溶剤精製、水素化分解、水素化処理、水素化精製、溶剤脱蝋、接触脱蝋、白土処理等の各種精製工程を任意に選択して用いることにより処理して得られる溶剤精製鉱油または水素化処理油等の鉱油、減圧蒸留残渣油の溶剤脱瀝処理により得られる脱瀝油を前記の精製工程により処理して得られる鉱油、またはワックス分の異性化により得られる鉱油等またはこれらの混合油を基油基材として用いることができる。
前記の溶剤精製においては、フェノール、フルフラール、Ｎ−メチル−２−ピロリドン等の芳香族抽出溶剤が用いられ、また、溶剤脱蝋の溶剤としては、液化プロパン、ＭＥＫ／トルエン等が用いられる。一方、接触脱蝋においては、例えば形状選択性ゼオライト等が脱蝋触媒として用いられる。
【００２６】
前記の如くして得られる精製基油基材として粘度レベルの異なる軽質ニュートラル油、中質ニュートラル油、重質ニュートラル油、ブライトストック等を挙げることができ、これらの基材を潤滑油製品の各用途に応じて動粘度等の要求性状を満たすように適宜調合することにより鉱油系基油を製造することができる。
【００２７】
また、ＧＴＬ系基油としては、ＧＴＬプロセスにより天然ガス等を原料として得られる液体生成物から分離される潤滑油留分、または生成ワックスの水素化分解により得られる潤滑油留分等を挙げることができる。さらには、アスファルト等の重質残油成分を原料とするＡＴＬ（Ａｓｐｈａｌｔ  ｔｏ  Ｌｉｑｕｉｄ）プロセスにより得られる液状生成油から分離される潤滑油留分等も用いることができる。
【００２８】
一方、合成油系基油としては、ポリα−オレフィンオリゴマー（例えば、ポリ（１−ヘキセン）、ポリ（１−オクテン）、ポリ（１−デセン）等およびこれらの混合物。）；ポリブテン；エチレン−アルキレンコポリマー；アルキルベンゼン（例えば、ドデシルベンゼン、テトラデシルベンゼン、ジ（２−エチルヘキシル）ベンゼン、ジノニルベンゼン等。）；ポリフェニル（例えば、ビフェニル、アルキル化ポリフェニル等。）；アルキル化ジフェニルエーテルおよびアルキル化ジフェニルスルフィドおよびこれらの誘導体；二塩基酸（例えば、フタル酸、コハク酸、アルキルコハク酸、アルケニルコハク酸、マレイン酸、アゼライン酸、スペリン酸、セバチン酸、フマル酸、アジピン酸、リノール酸ダイマー等。）と各種アルコール（例えば、ブチルアルコール、ヘキシルアルコール、２−エチルヘキシルアルコール、ドデシルアルコール、エチレングリコール、ジエチレングリコールモノエーテル、プロピレングリコール等。）とのエステル；炭素数５〜１８のモノカルボン酸とポリオール（例えば、ネオペンチルグリコール、トリメチロールプロパン、ペンタエリスリトール、ジペンタエリスリトール、トリペンタエリスリトール等。）とのエステル；その他、ポリオキシアルキレングリコール、ポリオキシアルキレングリコールエステル、ポリオキシアルキレングリコールエーテル、リン酸エステル等を挙げることができる。
【００２９】
基油は、前記の基油基材を各々単独でまたは二種以上を混合して所望の粘度その他の性状を有するように調合して製造することができる。例えば、各種の基油基材の調合により、本発明の潤滑油組成物としては、１００℃における動粘度を２〜２０ｍｍ２／ｓ、好ましくは３〜１５ｍｍ２／ｓの範囲に調整すればよい。
基油の動粘度が高すぎると、攪拌抵抗が大きくなり、また流体潤滑域での摩擦係数が高くなり省燃費特性が悪化する。一方、粘度が低すぎると、摺動部分、例えば内燃機関の動弁系、ピストンリングや軸受等において摩耗が増加するという難点が生じる。
【００３０】
次に、本発明に係る潤滑油組成物の泡消し剤として用いられるパーフルオロポリエーテル化合物について説明する。
本発明に係る潤滑油組成物の構成成分として用いられるパーフルオロポリエーテル化合物は、２５℃における動粘度が好ましくは２０ｍｍ２／ｓ以上のものである。さらに好ましくは２０〜１，２００ｍｍ２／ｓであり、特に１００〜５００ｍｍ２／ｓのものである。２５℃動粘度が２０ｍｍ２／ｓに満たないと十分な泡立ち抑制効果が得られず、一方、粘度を増加させても極度に支障となることはないが、高粘度化により、特に高温での泡立ち抑制効果が低下する傾向にある。
【００３１】
かかるパーフルオロポリエーテル化合物の骨格構造の例としては、パーフルオロアルキレン基を末端に有し、繰り返し単位のポリエーテル構造を主鎖として含有する化合物であり、次の式（１）〜（４）で表されるものが挙げられる。
【００３２】
【化７】
2004331933.tif 000008
【００３３】
【化８】
2004331933.tif 000009
【００３４】
【化９】
2004331933.tif 000010
【００３５】
【化１０】
2004331933.tif 000011
【００３６】
前記の式（１）〜（４）の各式においては、骨格構造に特徴があり、
ＸおよびＸ１は、特に制限されるものではないが、
（ｉ）フッ素原子
または
（ｉｉ）下記の架橋基Ｗおよび官能基Ｚの各群からそれぞれ選択され構成されてなる置換基Ｙ
（ここで、Ｙ＝Ｗｓ−Ｚ（ｓは０または１）
が好ましい。
【００３７】
前記架橋基Ｗとしては
（１）−Ｏ−
（２）−ＣＨ２−
（３）−ＣＨ２ＣＨ２Ｏ−
（４）−ＣＨ２ＣＨ（ＣＨ３）Ｏ−
（５）−ＣＯＯ−
（６）−ＣＯＳ−
（７）−ＣＯ−
（８）−（Ｏ−ＣＨ２ＣＨ２）ｔ−  （ｔ＝０〜３）
等を挙げることができる。
【００３８】
また、官能基Ｚとしては
（１）−ＯＨ
（２）−ＣＯＯＨ
（３）−ＳＨ
（４）−ＮＨ２
（５）−ＣＨ＝ＣＨ２
（６）−ＣＮ
（７）−ＮＣＯ
（８）
【００３９】
【化１１】
2004331933.tif 000012
（該シリル基は、Ｒ１、Ｒ２およびＲ３が、次の（Ａ）〜（Ｄ）に示す側鎖である３種のタイプのものである。
【００４０】
（Ａ）        Ｒ１、Ｒ２、Ｒ３がいずれもベンジル基またはいずれもフェニル基。
（Ｂ）−（１）Ｒ１がアクリル基、Ｒ２、Ｒ３がいずれもメチル基。
（Ｂ）−（２）Ｒ１がビニル基、Ｒ２、Ｒ３がそれぞれメチル基。
（Ｂ）−（３）Ｒ１、Ｒ２、Ｒ３がいずれもビニル基。
（Ｃ）        Ｒ１がビニル基、Ｒ２、Ｒ３がいずれもフェニル基。
（Ｄ）        Ｒ１、Ｒ２、Ｒ３がいずれもエチル基。
【００４１】
（９）
【化１２】
2004331933.tif 000013
【００４２】
（１０）−ＣＨ（ＯＨ）ＣＨ２ＯＨ
等を挙げることができるが、潤滑油用泡消し剤の成分として、好ましい官能基Ｚは、−ＯＨ、−ＣＯＯＨ、
【化１３】
2004331933.tif 000014
【００４３】
【化１４】
2004331933.tif 000015
等であり、架橋基Ｗとしては−ＣＨ２−、−ＣＨ２Ｏ−、−ＣＨ２−（Ｏ−ＣＨ２ＣＨ２）ｔ−等が好ましい。架橋基Ｗと官能基Ｚとからなる特に好ましい置換基Ｙとしては、
（ａ）−ＣＨ２ＯＨ
（ｂ）−ＣＨ２（ＯＣＨ２ＣＨ２）ｔ−ＯＨ
【００４４】
（ｃ）
【化１５】
2004331933.tif 000016
【００４５】
（ｄ）
【化１６】
2004331933.tif 000017
【００４６】
（ｅ）−ＣＨ２ＣＯＯＨ
（ｆ）−ＣＦ２ＣＯＯＨ
（ｇ）−ＣＦ２ＣＯＯＮＨ３−（ＣＨ２）５−ＣＨ３
等を挙げることができる。なお、置換基Ｙとしては架橋基Ｗを有しないものであってもよい。
【００４７】
本発明に係る潤滑油組成物の構成成分として特に好ましい具体例は、前記ＸおよびＸ１がそれぞれフッ素原子であり、骨格構造の両末端がフッ素原子で封鎖されたものであって、下記の式Ｉ〜ＩＶで表される化合物を挙げることができる。
【００４８】
第一の化合物は、次の式；
【化１７】
2004331933.tif 000018
で示されるようにポリエーテル構造が分岐構造のものであり、
【００４９】
【化１８】
2004331933.tif 000019
と
【化１９】
2004331933.tif 000020
とのランダム重合により得られるものである。式Ｉにおいて、ｍ＋ｎは８〜４５であり、ｍ／ｎは２０〜１００であるものが泡消し剤として好適である。
【００５０】
第二の化合物は、次式で示すように、分子中、分岐鎖を有するポリエーテル構造のホモポリマーである。式ＩＩにおいて、ｏが７〜６０である。
【化２０】
2004331933.tif 000021
【００５１】
第三の化合物は、次の式ＩＩＩで示すように、ポリエーテル構造が直鎖状であり、低粘度のものである。
【化２１】
2004331933.tif 000022
式ＩＩＩにおいて、ｐ＋ｑは４０〜１８０に、また、ｐ／ｑは０．５〜２に制御されたものである。
【００５２】
第四の化合物は、式ＩＶにより示されるようにヘキサフルオロプロピレンオキシドのホモポリマーであり、ｒは１０〜５０である。
【化２２】
2004331933.tif 000023
【００５３】
前記式Ｉ〜ＩＶの化合物は、各式におけるｍ、ｎ、ｏ、ｐ、ｑおよびｒを、パーフルオロポリエーテル化合物の前記２５℃動粘度が２０ｍｍ２／ｓ以上になるようにそれぞれ前記の範囲に制御したものである。
【００５４】
また、本発明に係る潤滑油組成物に用いられるパーフルオロポリエーテル化合物としては、その片末端または両末端に前記置換基Ｙが導入されたものも好ましく、前記式（１）〜（４）で表される各パーフルオロポリエーテル化合物のＸおよびＸ１が、それぞれ前記（ａ）〜（ｇ）から選択された置換基である。特に、ＸおよびＸ１が各化合物においてそれぞれ同一の置換基であることが好ましい。
【００５５】
これらのなかから具体例を挙げると、前記式（３）のパーフルオロポリエーテル化合物について
（１）Ｘ＝Ｘ１＝−ＣＨ２ＯＨの場合
【化２３】
2004331933.tif 000024
が提供される。
【００５６】
また、
（２）Ｘ＝Ｘ１＝−ＣＨ２（−Ｏ−ＣＨ２−ＣＨ２−）ｔ−ＯＨの場合；
【化２４】
2004331933.tif 000025
【００５７】
（３）
【化２５】
2004331933.tif 000026
の場合
【化２６】
2004331933.tif 000027
【００５８】
（４）
【化２７】
2004331933.tif 000028
の場合
【化２８】
2004331933.tif 000029
【００５９】
（５）Ｘ＝Ｘ１＝−ＣＨ２ＣＯＯＨの場合
【化２９】
2004331933.tif 000030
の各化合物が提供される。
【００６０】
なお、他の式（１）、（２）および（４）で表されるパーフルオロポリエーテル化合物についても式（３）の化合物と同様にＸおよびＸ１が前記の置換基から選択されたものと同一のものを得ることができる。
【００６１】
また、パーフルオロポリエーテル化合物の添加量は、潤滑油組成物の全重量を基準として１０ｐｐｍ（０．００１重量％）以上、好ましくは２０ｐｐｍ（０．００２重量％）以上である。添加量が１０ｐｐｍに達しないと泡立ち抑制効果が十分得られないおそれが生ずるので、油種等の相違に応じて泡立ち抑制に有効量を選択して用いればよい。
【００６２】
前記式Ｉおよび式ＩＩで示されるパーフルオロポリエーテルを含有する添加剤は、市販品としては、例えば、ソルベイソレクシス社製の商品名ＦＯＭＢＬＩＮＹタイプおよびデュポン社製ＫＲＹＴＯＸ  ＧＬＰタイプをそれぞれ入手することができる。ソルベイソレクシス社製の商品名  ＦＯＭＢＬＩＮ  Ｙタイプは、
−（−ＣＦ（ＣＦ３）ＣＦ２Ｏ−）−と−（ＣＦ２Ｏ−）−のランダム重合体で主鎖の繰り返し単位が分岐構造を有するものである。一方、ＫＲＹＴＯＸタイプはヘキサフルオロイソプロピレンのホモポリマーを含有する化合物である。また、式ＩＩＩおよびＩＶで示されるパーフルオロポリエーテルを含有する添加剤は、市販品としては、例えば、ソルベイソレクシス社製の商品名ＦＯＭＢＬＩＮＺタイプおよびダイキン工業（株）製の商品名デムナム（Ｄｅｍｎｕｍ）タイプをそれぞれ入手することができる。ＦＯＭＢＬＩＮ  Ｚタイプは、−（−ＣＦ２−ＣＦ２−ＣＦ２Ｏ−）−と−（ＣＦ２Ｏ−）−の重合体で直鎖構造を有するもので、低粘度のものである。デムナムタイプは、ヘキサフルオロプロピレンオキシドのホモポリマーである。また、パーフルオロポリエーテル両末端に極性基を有するパーフルオロポリエーテル化合物（極性基として水酸基を導入）としてソルベイソレクシス社製の商品名ＦＯＭＢＬＩＮ  Ｚ−ＤＯＬおよび同社製商品名ＦＯＭＢＬＩＮ  ＡＭ２００１（極性基としてピペロニル基を導入）等を入手することができる。
【００６３】
さらに、本発明の潤滑油組成物の成分としてパーフルオロポリエーテル化合物は、前記に掲げたものを一種または二種以上を選択して用いることができる。また、ポリフルオロアルキルシロキサン、ポリジメチルシロキサン等の従来から用いられている消泡剤と共存しても本発明に係るパーフルオロポリエーテル化合物の作用効果を低減させることがなければ十分使用することができる。
【００６４】
本発明に係る潤滑油組成物を調製するには、パーフルオロポリエーテル化合物の分散方法として（１）少量の基油または組成物と混合し、ホモジナイザーでプレ分散したものをマスタバッチの形態で用いる方法、または（２）撹拌中の組成物にパーフルオロポリエーテル化合物または該化合物のプレ分散したものを高圧噴霧などにより微粒化した状態で混合する方法を採用することができる。
【００６５】
本発明に係る潤滑油組成物は、自動変速機油、無段変速機油、油圧油、ギヤ油、タービン油、コンプレッサー油およびエンジン油等として好適なものであり、用途に応じてそれぞれ要求される性能を満たすために各種添加剤、例えば、粘度指数向上剤、無灰分散剤、有機酸金属塩（金属系清浄剤）、摩擦調整剤、摩耗防止剤、酸化防止剤、極圧剤、金属不活性化剤、流動点降下剤、防錆剤、着色剤などを適宜添加することができる。
【００６６】
粘度指数向上剤としては、一般に非分散型ポリメタアクリレート、分散型ポリメタアクリレート、非分散型オレフィンコポリマー（ポリイソブチレン、エチレン−プロピレン共重合体）、分散型オレフィンコポリマー、ポリアルキルスチレン、スチレン−ブタジエン水添共重合体、スチレン−無水マレイン酸エステル共重合体、星状イソプレン等が挙げられる。非分散型オレフィンコポリマーとは、分子中に酸素または窒素を含有せずに分散性能を有しているものである。ポリイソブチレンやエチレン−プロピレン共重合体の分子量としては、重量平均分子量で１０万以上（ＧＰＣ分析においてポリスチレン換算量）のものが好ましい。これらは単独だけでなく複数のものを併用してもよい。通常０．０１重量％〜３０重量％の割合で使用される。
【００６７】
無灰分散剤としては、コハク酸イミド、コハク酸アミド、ベンジルアミン、コハク酸エステル、コハク酸エステル−アミド等を含有する添加剤およびそれらのホウ素含有物等が挙げられるが、コハク酸イミド系およびホウ素含有コハク酸イミド系が好ましく用いられる。コハク酸イミド系およびホウ素含有コハク酸イミド系の配合量は、０．０５重量％〜８重量％である。
【００６８】
金属系清浄剤としては、例えば、カルシウム、マグネシウム、バリウム等のスルホネート、フェネート、サリシレート、カルボキシレートから選択される化合物を含むものが挙げられ、過塩基性塩、塩基性塩、中性塩等の塩基価の異なるものを任意に選択して用いることができる。これらの配合量は、金属元素量として、通常０．０５重量％〜５重量％の範囲で使用することが好ましい。
【００６９】
摩擦調整剤としては、例えば、有機モリブデン系化合物、脂肪酸、高級アルコール、脂肪酸エステル、油脂類、アミン、ポリアミド、硫化エステル、リン酸エステル、酸性リン酸エステル、亜リン酸エステル、リン酸エステルアミン塩等が挙げられる。これらは、通常０．０５重量％〜５重量％の割合で使用される。
【００７０】
摩耗防止剤としては、一般にジチオリン酸亜鉛、ジチオリン酸金属塩（Ｐｂ，Ｓｂ，Ｍｏなど）、ジチオカルバミン酸金属塩（Ｚｎ、Ｐｂ、Ｓｂ、Ｍｏなど）、ナフテン酸金属塩（Ｐｂなど）、脂肪酸金属塩（Ｐｂなど）、ホウ素化合物、リン酸エステル、亜リン酸エステル、リン酸エステルアミン塩等が挙げられ、通常０．１重量％〜５重量％の割合で使用される。
【００７１】
酸化防止剤としては、一般にアルキル化ジフェニルアミン、フェニル−α−ナフチルアミン、アルキル化フェニル−α−ナフチルアミン等のアミン系酸化防止剤、２，６−ジ−ｔ−ブチルフェノール、４，４’−メチレンビス（２，６−ジ−ｔ−ブチルフェノール）、イソオクチル−３−（３，５−ジ−ｔ−ブチル−４−ヒドロキシフェニル）プロピオネート等のフェノール系酸化防止剤、ジラウリル−３，３’−チオジプロピオネイト等の硫黄系酸化防止剤、ホスファイト等のリン系酸化防止剤、モリブデン系酸化防止剤、さらにジチオリン酸亜鉛等が挙げられ、特に、アミン系酸化防止剤、フェノール系酸化防止剤およびこれらの組合せが好ましく用いられる。これらは、通常０．０５重量％〜５重量％の割合で使用される。
【００７２】
極圧剤としては、一般に無灰系サルファイド化合物、硫化油脂、リン酸エステル、亜リン酸エステル、リン酸エステルアミン塩等が挙げられ、これらは、通常０．０５重量％〜３重量％の割合で使用される。
【００７３】
金属不活性化剤としては、ベンゾトリアゾール、トリアゾール誘導体、ベンゾトリアゾール誘導体、チアジアゾール誘導体等が挙げられ、これらは、通常０．０１重量％〜３重量％の割合で使用される。
【００７４】
流動点降下剤としては、一般にエチレン−酢酸ビニル共重合体、塩素化パラフィンとナフタレンとの縮合物、塩素化パラフィンとフェノールとの縮合物、ポリメタクリレート、ポリアルキルスチレン等が挙げられ、特に、ポリメタアクリレートが好ましく用いられる。これらは、通常０．０１重量％〜５重量％の割合で使用される。
【００７５】
防錆剤としては、例えば、脂肪酸、アルケニルコハク酸ハーフエステル、脂肪酸セッケン、アルキルスルホン酸塩、多価アルコール脂肪酸エステル、脂肪酸アミン、酸化パラフィン、アルキルポリオキシエチレンエーテル等が挙げられ、これらは、通常０．０１重量％〜３重量％の割合で使用される。
【００７６】
また、特に、自動変速機油としては、各種添加剤の好ましい含有量は、次の通りであり、本発明に係るパーフルオロポリエーテル系泡消し剤１０ｐｐｍ以上の配合により、発泡を抑制することができ、如何なる添加剤フォーミュレーションによっても泡立ち抑制上での問題は生じない。
【００７７】
2004331933.tif 000031
【００７８】
【実施例】
以下、本発明について、実施例および比較例によりさらに具体的に説明する。もっとも本発明は、実施例等により限定されるものではない。
なお、実施例等により得られた潤滑油組成物の泡立ち抑制効果は、次の泡立ち性試験により評価した。
【００７９】
また、実施例等における、「％」は、ことわりのない限り「重量％」を示す。（１）泡立ち性試験
泡立ち抑制性は、ＡＳＴＭ  Ｄ８９２（Ｓｅｑ．Ｉ，ＩＩ，ＩＩＩ）およびＡＳＴＭ  Ｄ６０８２（Ｓｅｑ．ＩＶ）の方法により評価した。なお、Ｓｅｑ．ＩＶは高温における泡立ち性を評価することを目的として設定された試験法である。
Ｓｅｑ．Ｉ〜ＩＶの基本操作および主要な試験条件は次の通りであるが、詳細はＡＳＴＭＤ８９２およびＤ６０８２に規定するところによる。
【００８０】
Ｓｅｑ．Ｉ；（ＡＳＴＭ  Ｄ８９２）  １，０００ｍｌのメスシリンダに試料油１９０ｍｌ採り、２４℃に保ち、ディフューザーピストン付き空気導入管を差し込み、９４ｍｌ／分の乾燥空気を５分間吹き込み発生した泡の量を泡立ち度とする。さらに１０分間放置後の泡の量を泡安定度とする。
Ｓｅｑ．ＩＩ；（ＡＳＴＭ  Ｄ８９２）新たに試料油を採取し、試料油温度を９３．５℃とすること以外はＳｅｑ．Ｉと同一の試験を行い、泡立ち度および泡安定度を測定する。
Ｓｅｑ．ＩＩＩ；（ＡＳＴＭ  Ｄ８９２）Ｓｅｑ．ＩＩ試験後の試料油を、そのまま２４℃に温度を下げてＳｅｑ．Ｉと同一の泡立ち試験を行い、泡立ち度および泡安定度を測定する。
Ｓｅｑ．ＩＶ；  （ＡＳＴＭ  Ｄ６０８２）試料油温度を１５０℃、乾燥空気量を２００ｍｌ／分に設定したこと以外Ｓｅｑ．Ｉと同一の試験を行い、泡立ち度および泡安定度を測定する。
【００８１】
実施例１
パラフィン系精製鉱油（１００℃における動粘度；４ｍｍ２／ｓ）にパーフルオロポリエーテル（２５℃における動粘度；１８２ｍｍ２／ｓ（ソルベイソレクシス社製ＦＯＭＢＬＩＮＹ２５）を０．００４％（４０ｐｐｍ）配合し、さらに、その他の添加剤として粘度指数向上剤（ポリメタクリレート５％）、無灰清浄分散剤（コハク剤イミド４％）、有機酸金属塩（カルシウムスルホネート０．１％）、摩擦調整剤（オレイン酸アミド０．３％、酸性リン酸エステル０．３％）、酸化防止剤（アルキル化ジフェニルアミン０．３％、２，６−ジ−ｔｅｒｔ−ブチルフェノール０．３％）および金属不活性剤（ベンゾトリアゾール０．０５％）を配合し、表１に示す潤滑油組成物を調製した。泡立ち抑制能を前記泡立ち性試験法で測定した泡立ち量により評価した。評価結果（泡立ち性試験結果）を表１に示す。ここで得られた潤滑油組成物は、Ｓｅｑ．Ｉ〜ＩＶの各目標値のすべてに合格し、泡立ち抑制能について低温から高温にわたり顕著な効果を得た。
【００８２】
実施例２
２５℃動粘度１８２ｍｍ２／ｓのパーフルオロポリエーテルの代わりに２５℃動粘度２９ｍｍ２／ｓのパーフルオロポリエーテル（ソルベイソレクシス社製ＦＯＭＢＬＩＮ  Ｙ０４）を０．００４％（４０ｐｐｍ）用いたこと以外すべて実施例１の潤滑油組成物の組成と同一の組成の表１に示す潤滑油組成物を得た。前記泡立ち性試験により、泡立ち抑制能を評価したところ、Ｓｅｑ．ＩＩの泡立ち量が若干増加したが、目標値を十分満足し、全体として実施例１の潤滑油組成物の評価結果とほとんど遜色はみられなかった。
【００８３】
実施例３
２５℃動粘度１８２ｍｍ２／ｓのパーフルオロポリエーテルの代わりに１３３ｍｍ２／ｓのパーフルオロポリエーテル（デュポン社製ＫＲＹＴＯＸ  ＧＰＬ１０４）を０．００４％（４０ｐｐｍ）用いたこと以外すべて実施例１の潤滑油組成物の組成と同一の組成の表１に示す潤滑油組成物を得た。前記泡立ち性試験に供したところ、実施例１の潤滑油組成物と同等の泡立ち抑制能の評価結果を得た。
【００８４】
実施例４
２５℃動粘度１８２ｍｍ２／ｓのパーフルオロポリエーテルの代わりに２５℃動粘度１，０６０ｍｍ２／ｓのパーフルオロポリエーテル（ソルベイソレクシス社製ＦＯＭＢＬＩＮ  ＹＰＬ１５００）を用いたこと以外すべて実施例１の潤滑油組成物の組成と同一の組成の表１に示す潤滑油組成物を得た。前記泡立ち性試験に供したところ、実施例１の潤滑油組成物と同等の泡立ち抑制能の評価結果を得た。
【００８５】
比較例１
パラフィン系精製鉱油（１００℃動粘度；４ｍｍ２／ｓ）に実施例１で使用した「その他の添加剤」と同一組成の添加剤混合物を１０．３５％配合し、泡消し剤を配合していない潤滑油組成物を調製し、前記泡立ち性試験により泡立ち抑制能を評価した。表２に示すように、泡立ち抑制能は、低いものであり、特に低温において不良であった。
【００８６】
比較例２
２５℃動粘度１８２ｍｍ２／ｓのパーフルオロポリエーテルの代わりに２５℃動粘度２ｍｍ２／ｓのパーフルオロポリエーテル（ソルベイソレクシス社製ＧＡＬＤＥＮ）を０．００４％（４０ｐｐｍ）を用いたこと以外すべて実施例１の潤滑油組成物の組成と同一の組成の表２に示す潤滑油組成物を調製した。この結果から、パーフルオロポリエーテルの粘度が低すぎるとＳｅｑ．ＩとＳｅｑ．ＩＩＩの泡立ち量の増加で示すように低温での泡立ち抑制効果が低下することが示された。
【００８７】
比較例３
２５℃動粘度１８２ｍｍ２／ｓのパーフルオロポリエーテルの代わりに２５℃動粘度１２，５００ｍｍ２／ｓのポリジメチルシロキサン（信越シリコーン社製ＫＦ９６Ｈ）を用いて潤滑油組成物を調製したこと以外すべて実施例１の潤滑油組成物の組成と同一組成の潤滑油組成物を調製した。前記泡立ち性試験の結果、表２に示すように高温での泡立ち量が多く、シリコーン系消泡剤は、実施例の各パーフルオロポリエーテルに比較して特に高温での泡立ち抑制効果が劣ることが判明した。
【００８８】
比較例４
２５℃動粘度１８２ｍｍ２／ｓのパーフルオロポリエーテルの代わりに「分子量５０，０００のパーフルオロオクチルエチルアクリレート」／「ステアリルアクリレート」＝１０：９０の共重合体をポリマー有効濃度で０．００４％を用いたこと以外は実施例１の潤滑油組成物の組成と同一の組成の潤滑油組成物を調製した。評価結果を表２に示す。
【００８９】
【表１】
2004331933.tif 000032
【００９０】
【表２】
2004331933.tif 000033
【００９１】
【発明の効果】
以上述べた如く、本発明によれば、低温から高温までの広範囲の温度領域において良好な泡立ち抑制効果を奏する潤滑油組成物を提供することができる。
また、基油の種類を問わず、かつ添加剤の種類にも拘らず十分な泡立ち抑制効果を得ることもできる。
本発明に係る潤滑油組成物は、かかる性能を有することから、自動変速機油、無段変速機油、油圧油、ギヤ油、タービン油、コンプレッサー油、エンジン油として好適であり、特に自動変速機油、油圧油として優れた効果を奏する。